(57)【特許請求の範囲】
【請求項１】
露光用開口部が形成されている二つの地板と、該地板の一方に一端部を支点にして往復回動可能に取り付けられた複数のアームと該複数のアームの一端部側から他端部側に向けて夫々順に枢支された複数の羽根とから成っていて前記地板間に配置されている少なくとも一つの羽根群と、往復作動が可能であって前記羽根群を駆動する複数の電磁駆動手段と、前記複数のアームの一つと前記複数の電磁駆動手段とにだけ連結されている連結部材と、を備えており、前記連結部材は、同時に作動する前記複数の電磁駆動手段に作動されて、前記羽根群を作動させるようにしたことを特徴とするカメラ用フォーカルプレンシャッタ。
【請求項２】
前記複数の電磁駆動手段が各々駆動ピンを有していて、それらの駆動ピンを、前記連結部材に形成された長孔に嵌合させていることを特徴とする請求項１に記載のカメラ用フォーカルプレンシャッタ。
【請求項３】
前記複数の電磁駆動手段が、何れも永久磁石製の回転子を有していて固定子コイルに対する電流の通電方向に対応して該回転子を所定の角度範囲内で往復回転させる電流制御式のモータであり、非通電時には、固定子側に配置された強磁性体と該回転子との間に作用する吸引力によって、該回転子が停止状態を保持されることを特徴とする請求項１乃至３の何れかに記載のカメラ用フォーカルプレンシャッタ。
【発明の詳細な説明】
【０００１】
【発明の属する技術分野】
本発明は、フィルムを使用するカメラやデジタルカメラに用いて有効な電磁駆動方式のカメラ用のフォーカルプレンシャッタに関する。
【０００２】
【従来の技術】
従来の電磁駆動方式のカメラ用フォーカルプレンシャッタの一例が、実公平５−９７０９号公報に記載されているが、この従来例は、固定子コイルに対する電流の通電方向に対応して永久磁石製回転子を所定の角度範囲内で回転させるようにした、一般にムービングマグネット型モータと称されている電流制御式のモータを二つ用いており、それらによって二つの羽根群を個々に往復駆動するようにしている。そして、モータと羽根群との具体的な連結構成は、回転子の駆動ピン（出力ピン）を、羽根群のアームの一つに連結させるようにしている。また、二つの羽根群は、往動時にも復動時にも、露光作動を行なうようになっていて、固定子コイルに対する非通電時には、固定子側に配置された強磁性体（鉄ピン）と回転子との間に作用する吸引力によって、回転子が停止状態を保持されるようになっている。しかし、この従来例は、ばね駆動方式のシャッタと同様に、往動時か復動時の何れか一方だけで露光作動を行なうようにすることも可能である。
【０００３】
また、カメラ用のフォーカルプレンシャッタには、通常、二重遮光方式と称されているシャッタがあり、カメラの不使用時には、先羽根群と後羽根群の両方で露光開口を覆うようにしたものと、先羽根群と第３の羽根群とで覆うようにしたものとが知られているが、そのような第３の羽根群についても、上記の従来例のようにして電磁駆動方式を採用することが可能である。更に、デジタルカメラに採用されるフォーカルプレンシャッタとしては、上記の従来例のように羽根群を二つ備えたものもあるが、一つの羽根群だけのものもある。そして、それらのような羽根群の電磁駆動源としては、上記したムービングマグネット型モータのほかに、ステッピングモータやプランジャを用いたものも知られている。本発明は、それらの全ての電磁駆動方式のカメラ用フォーカルプレンシャッタとして適用が可能なものである。
【０００４】
【発明が解決しようとする課題】
ところで、電磁駆動方式を採用するに際して一番問題となるのは電磁駆動源のことである。周知のように、フォーカルプレンシャッタの場合には、羽根群が複数のアームと複数枚の羽根で構成されており、しかも、レンズシャッタの場合よりも遥かに大きな露光開口を高速で開閉しなければならないため、電磁駆動源には強力な駆動力が要求される。特に、上記の従来例に採用されているムービングマグネット型モータの場合には、駆動力の点で必ずしも有利とは言えない。しかし、どのような駆動源であろうとも、駆動力を大きくしようとすると、外形の大型化はもとより、特に重量が大きくなってしまうという問題点がある。
【０００５】
そこで、一つの羽根群に対して、一般に採用されていて小型で廉価な駆動源を複数個用いることが考えられる。しかし、そのようにすることは思うほど簡単なことではない。それは、上記の従来例の場合で考えてみれば明瞭である。即ち、上記の従来例においては、一つの羽根群には二つのアームが備えられていて、回転子と一体の駆動ピン（出力ピン）が一方のアームに連結されている。従って、第２のモータ（アクチュエータ）を配置し、その回転子の駆動ピンを他方のアームに連結させればよいことになるが、従来例の配置関係においては第２のモータを配置することが全く無理である。そこで、第１のモータの位置をずらして第２のモータを配置することが考えられるが、単純にそのようにしただけでは、二つのアームに対して同時に同じ運動を行なわせることが不可能になってしまう。更に、電磁駆動源を可成り小型化すれば、一つの羽根群に対して複数の駆動源を好適に適用させることが可能となるが、所定の駆動力を確保したうえで小型化を図ると、極端に高価になってしまうという問題点がある。
【０００６】
本発明は、このような問題点を解決するためになされたものであり、その目的とするところは、一つの羽根群を複数の駆動源によって好適に作動させることを可能にした、構成の簡単な電磁駆動方式のカメラ用フォーカルプレンシャッタを提供することである。
【０００７】
【課題を解決するための手段】
上記の目的を達成するために、本発明のカメラ用フォーカルプレンシャッタは、露光用開口部が形成されている二つの地板と、該地板の一方に一端部を支点にして往復回動可能に取り付けられた複数のアームと該複数のアームの一端部側から他端部側に向けて夫々順に枢支された複数の羽根とから成っていて前記地板間に配置されている少なくとも一つの羽根群と、往復作動が可能であって前記羽根群を駆動する複数の電磁駆動手段と、前記複数のアームの一つと前記複数の電磁駆動手段とにだけ連結されている連結部材と、を備えており、前記連結部材は、同時に作動する前記複数の電磁駆動手段に作動されて、前記羽根群を作動させるようにする。
【０００８】
また、本発明のカメラ用フォーカルプレンシャッタにおいては、前記複数の電磁駆動手段が各々駆動ピンを有していて、それらの駆動ピンを、前記連結部材に形成された長孔に嵌合させているようにすると、連結構成が簡単になる。
【０００９】
更に、本発明のカメラ用フォーカルプレンシャッタにおいては、前記複数の電磁駆動手段が、何れも永久磁石製の回転子を有していて固定子コイルに対する電流の通電方向に対応して該回転子を所定の角度範囲内で往復回転させる電流制御式のモータであり、非通電時には、固定子側に配置された強磁性体と該回転子との間に作用する吸引力によって、該回転子が停止状態を保持されるようにすると、他のモータを用いる場合よりも小型化及び低コスト化に有利となる。
【００１０】
【発明の実施の形態】
本発明の実施の形態を、図示した実施例によって説明する。尚、本実施例は、同じ方向へ順次作動する二つの羽根群によって、それらの往動時においても復動時においても撮影を行なえるようにした電磁駆動方式のフォーカルプレンシャッタとして構成したものであり、各図面は、何れもカメラに組み込まれた状態において被写体側から視た場合の略左半分だけを示した平面図である。そして、図１は露光作動を開始する直前の状態を示したものであり、図２は露光作動の途中の状態を示したものであり、図３は露光作動を終了した直後の状態を示したものである。
【００１１】
先ず、図１を用いて、本実施例の構成を説明するが、その説明に際しては、被写体側を表面側と称し、フィルム面等の結像面側を背面側と称することにする。シャッタ地板１には、その略中央部に長方形を横長にした露光用開口部１ａが形成されているが、図１においてはその左側の一部が示されている。また、周知のように、シャッタ地板１の背面側には、所定の間隔を空けて、図示していない中間板と補助地板が取り付けられており、シャッタ地板１と中間板との間に第１羽根群の羽根室を形成し、中間板と補助地板との間に第２羽根群の羽根室を形成している。更に、中間板と補助地板にも、露光用開口部１ａと類似の形状をした露光用開口部が形成されていて、通常は、それらの開口部を重ね合わせて露光開口を規制するようにしているが、本実施例においては、露光用開口部１ａの形状が露光開口を規制しているものとする。
【００１２】
また、シャッタ地板１には、露光用開口部１ａの左側に、円弧状の二つの長孔１ｂ，１ｃが形成されており、背面側には四つの軸１ｄ，１ｅ，１ｆ，１ｇが立設されているが、長孔１ｂ，１ｃの上端部と下端部には、夫々、図示していない緩衝部材が取り付けられていて、後述の説明からも分かるようにストッパの役目をしている。更に、シャッタ地板１の表面側には、シャッタ地板１との間に所定の間隔を空けて支持板２が設けられているが、この支持板２は、方形をした四つの長孔２ａ，２ｂ，２ｃ，２ｄを有していて、三つのビス３，４，５によってシャッタ地板１に取り付けられている。尚、この支持板２の形状については、少しでも図面が見易くなるようにするために、一点鎖線で示してある。
【００１３】
支持板２の表面側には、図示していない手段によって、上記した四つのムービングマグネット型モータ６，７，８，９が取り付けられていて、それらの回転子６ａ，７ａ，８ａ，９ａと一体の駆動ピン６ｂ，７ｂ，８ｂ，９ｂを、支持板２の長孔２ａ，２ｂ，２ｃ，２ｄからシャッタ地板１側に突き出している。また、シャッタ地板１と支持板２の間には、外形が略三角形に形成されている第１連結部材１０と第２連結部材１１が配置されている。そして、第１連結部材１０は、二つの長孔１０ａ，１０ｂと、ピン１０ｃとを有しており、長孔１０ａ，１０ｂには上記の駆動ピン６ｂ，７ｂを嵌合させ、ピン１０ｃを長孔１ｂに貫通させている。また、第２連結部材１１も、二つの長孔１１ａ，１１ｂと、ピン１１ｃとを有していて、長孔１１ａ，１１ｂには上記の駆動ピン９ｂ，８ｂを嵌合させ、ピン１１ｃを長孔１ｃに貫通させている。
【００１４】
次に、シャッタ地板１の背面側に配置されている第１羽根群と第２羽根群の構成について説明する。先ず、第１羽根群は、シャッタ地板１の軸１ｄ，１ｅに対して回転可能に取り付けられた二つのアーム１２，１３と、それらの先端部に向けて順に枢支された２枚の羽根１４，１５で構成されており、アーム１２に形成された長孔１２ａに、上記した第１連結部材１０のピン１０ｃが嵌合している。そして、羽根１５がスリット形成羽根である。また、第２羽根群は、シャッタ地板１の軸１ｆ，１ｇに対して回転可能に取り付けられた二つのアーム１６，１７と、それらの先端部に向けて順に枢支された３枚の羽根１８，１９，２０で構成されており、アーム１６に形成された長孔１６ａに、上記した第２連結部材１１のピン１１ｃが嵌合している。そして、羽根２０がスリット形成羽根となっている。
【００１５】
次に、本実施例の作動を説明する。図１は、露光作動終了直前の状態を示している。但し、本実施例は、二つの羽根群を上方から下方へ作動させる場合にも、下方から上方へ作動させる場合にも撮影を行うので、この状態は前回の撮影における露光作動終了状態ということにもなる。そして、この状態においては、第１羽根群の２枚の羽根１４，１５が展開状態となって露光用開口部１ａを覆っており、第２羽根群の３枚の羽根１８，１９，２０は重畳されて、露光用開口部１ａの上方位置に格納されている。また、回転子６ａ，７ａ，８ａ，９ａには、固定子側に配置された図示していない強磁性体部材との間に作用する吸引力によって、時計方向への回転力が与えられていて、それにより、連結部材１０，１１を介してアーム１２，１６を反時計方向へ回転させ、長孔１ｂ，１ｃの下端部に取り付けられた図示していない緩衝部材にピン１０ｃ，１１ｃを当接させることによって、この状態が維持されている。図１において、ピン１０ｃ，１１ｃが長孔１ｂ，１ｃの下端部に接していないのは、その緩衝部材の図示が省略されているためである。
【００１６】
このような図１に示した状態において、カメラのレリーズボタンが押されると、先ず、ムービングマグネット型モータ６，７の固定子コイルに対して順方向への通電が行なわれる。そのため、回転子６ａ，７ａは、反時計方向へ回転させられ、駆動ピン６ｂ，７ｂによって第１連結部材１０を略上方へ作動させる。この場合、上記の構成説明からも分かるように、第１連結部材１０は、固定部材には一切連結されておらず、可動部材にだけ連結されていることから、その略上方への作動軌跡が分かりにくいが、本実施例の場合には、光軸中心から若干離れた位置を中心にして、円弧状の軌跡を描くように設定されている（尚、第２連結部材１１の場合には、光軸中心から第１連結部材の場合とは反対側に若干離れた位置を中心にして作動するように設定されている）。従って、その作動によって、ピン１０ｃがアーム１２を時計方向へ回転させることになるので、第１羽根群の羽根１４，１５は、相互の重なりを大きくしつつ下方へ移動し、スリット形成羽根１５のスリット形成縁によって露光用開口部１ａを開いていく。その状態が図２に示されている。
【００１７】
その後、ムービングマグネット型モータ８，９の固定子コイルに対しても順方向への通電が行なわれる。そのため、回転子８ａ，９ａは、反時計方向へ回転させられ、駆動ピン８ｂ，９ｂによって第２連結部材１１を略上方へ作動させるので、ピン１１ｃがアーム１６を時計方向へ回転させることになり、第２羽根群の羽根１８，１９，２０は、相互の重なりを小さくしつつ下方へ移動し、スリット形成羽根２０のスリット形成縁によって露光用開口部１ａを閉じていく。従って、それ以後は、二つのスリット形成羽根１５，２０によって形成されるスリットにより、露光されていくことになる。
【００１８】
そして、第１羽根群は、スリット形成羽根１５のスリット形成縁が露光用開口部１ａの下辺を通過した直後に、第１連結部材１０のピン１０ｃが長孔１ｂの上端部に取り付けられた図示していない緩衝部材に当接して停止し、第２羽根群は、その後、スリット形成羽根２０のスリット形成縁が露光用開口部１ａの下辺を通過した直後に、第２連結部材１１のピン１１ｃが長孔１ｃの上端部に取り付けられた図示していない緩衝部材に当接して停止する。その状態が図３に示された状態であって、この状態においては、第１羽根群の羽根１４，１５は重畳されて露光用開口部１ａの下方位置に格納され、第２羽根群の羽根１８，１９，２０が展開されて露光用開口部１ａを覆っている。そして、その後、ムービングマグネット型モータ６，７，８，９の固定子コイルに対する順方向への通電が断たれることにより、一連の作動が終了することになるが、その終了後においても、周知のように、各回転子と各強磁性体部材との間に作用する吸引力によってこの状態が確実に維持される。
【００１９】
次の撮影が行われるときには、上記の作動と全く逆に作動させられることになる。即ち、その場合には、図３は、露光作動開始直前の状態を示したものとなり、図２は、露光作動の途中であって、第２羽根群の作動が終了した時点の状態を示したものとなり、図１は、露光作動終了直後を示したものとなる。また、その作動において、ムービングマグネット型モータ６，７，８，９の固定子コイルに供給される電流は、順方向にではなく、逆方向に通電されることになる。従って、その他の具体的な作動は、上記の場合に準じて行なわれるので、説明を省略する。
【００２０】
尚、本実施例の場合には、各羽根が下方へ作動する場合にも上方へ作動する場合にも、フィルム等を露光する場合で説明したが、本発明は、カメラの不使用時に二重遮光を行なうなどの目的で、一方方向へ作動する場合にだけ露光するようにすることを妨げるものではない。また、本実施例の場合には、一つの連結部材を二つのモータで作動させているが、三つ以上のモータで作動させるようにすることも可能である。また、本実施例においては、電磁駆動源として、ムービングマグネット型モータを使用しているが、本発明は、これに限定されるものではない。
【００２１】
また、本発明は、二つ又は三つの羽根群を有しているシャッタにおいて、一つの羽根群に対してだけ採用することを妨げるものではない。従って、既に説明した三つの羽根群を有する二重遮光式のシャッタの場合には、遮光専用の第３の羽根群にだけ採用してもよいし、全部に採用しても構わないことになる。更にまた、そのことから、一つの羽根群しか備えていないデジタルカメラ用シャッタにも採用することが可能である。
【００２２】
【発明の効果】
以上のように、本発明によれば、複数の電磁駆動手段は、一つの羽根群を夫々に直接作動させるのではなく、一旦、一つの連結部材を協力して作動させるようにし、その一つの連結部材によって羽根群を作動させるようにしたため、各電磁駆動手段の配置に自由度が生じ、且つ大きな駆動力が得られ、従来の大きさの複数の駆動手段を用いて好適に羽根群を作動させることが可能となる。
【図面の簡単な説明】
【図１】カメラに組み込まれた状態において被写体側から視た場合の略左半分だけを示した実施例の平面図であって、露光作動を開始する直前の状態を示したものである。
【図２】図１と同様にして示した実施例の平面図であって、露光作動の途中の状態を示したものである。
【図３】図１と同様にして示した実施例の平面図であって、露光作動を終了した直後の状態を示したものである。
【符号の説明】
１                            シャッタ地板
１ａ                          露光用開口部
１ｂ，１ｃ，２ａ，２ｂ，２ｃ，２ｄ，１０ａ，１０ｂ，１１ａ，
１１ｂ，１２ａ，１６ａ                  長孔
１ｄ，１ｅ，１ｆ，１ｇ        軸
２                            支持板
３，４，５                    ビス
６，７，８，９                ムービングマグネット型モータ
６ａ，７ａ，８ａ，９ａ        回転子
６ｂ，７ｂ，８ｂ，９ｂ        駆動ピン
１０                          第１連結部材
１０ｃ，１１ｃ                ピン
１１                          第２連結部材
１２，１３，１６，１７        アーム
１４，１５，１８，１９，２０  羽根
【図１】
0004372932.tif 000002
【図２】
0004372932.tif 000003
【図３】
0004372932.tif 000004